(57)【要約】【課題】製品の購入から廃棄までの炭素消費量を評価して購入先およびリサイクル先を選択する購入先リサイクル先選択装置を提供する。【解決手段】購入先とリサイクル先とを選択する購入先リサイクル先選択装置が、製品の購入からリサイクルまでの経路であって購入先およびリサイクル先を組み合わせた購入リサイクル経路が記憶されている購入リサイクル経路記憶部と、購入先から製品を購入する場合に消費される炭素量およびリサイクル先で製品をリサイクルする場合に消費または生成される炭素量が購入先およびリサイクル先ごとに記憶されている炭素量記憶部と、購入リサイクル経路記憶部から読み出した購入リサイクル経路毎に炭素量記憶部から読み出した炭素量を合算して製品の購入およびリサイクルで消費または生成される炭素量を算出する炭素量算出部と、炭素量算出部が算出した炭素量と購入リサイクル経路とを出力する購入リサイクル経路選択部とを有する。【選択図】図１
2009217565.tif 000002
【特許請求の範囲】
【請求項１】
製品を購入およびリサイクルする場合の購入先とリサイクル先とを選択する購入先リサイクル先選択装置であって、
前記製品の購入からリサイクルまでの経路であって、前記購入先および前記リサイクル先を組み合わせた購入リサイクル経路が記憶されている購入リサイクル経路記憶部と、
前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部と、
前記購入リサイクル経路記憶部から読み出した購入リサイクル経路毎に、前記炭素量記憶部から読み出した炭素量を合算して前記製品の購入およびリサイクルで消費または生成される炭素量を算出する炭素量算出部と、
前記炭素量算出部が算出した炭素量と前記購入リサイクル経路とを関連付けて出力する購入リサイクル経路選択部と、
を有することを特徴とする購入先リサイクル先選択装置。
【請求項２】
前記購入先リサイクル先選択装置が、
前記購入先までの距離が前記購入先毎に記憶されている購入先距離記憶部と、
前記リサイクル先までの距離が前記リサイクル先毎に記憶されているリサイクル先距離記憶部と、
距離を該距離に対して消費される炭素量に換算する距離炭素量換算係数が予め記憶されている距離炭素量換算係数記憶部と、
前記購入先距離記憶部またはリサイクル先距離記憶部から読み出した距離に、前記距離炭素量換算係数記憶部から読み出した距離炭素量換算係数を乗じて、距離に対して消費される炭素量である距離炭素量を前記購入先および前記リサイクル先毎に算出して換算し、該換算した距離炭素量を前記炭素量として前記購入先および前記リサイクル先ごとに前記炭素量記憶部に記憶させる距離炭素量換算部と、
を有することを特徴とする請求項１に記載の購入先リサイクル先選択装置。
【請求項３】
前記購入先リサイクル先選択装置が、
前記購入先で前記製品を製造する場合に消費されるエネルギー量が前記購入先毎に記憶されている購入先エネルギー量記憶部と、
前記リサイクル先で前記製品をリサイクルまたは廃棄する場合に消費または生成されるエネルギー量が前記リサイクル先毎に記憶されているリサイクル先エネルギー量記憶部と、
エネルギー量を炭素量に換算するエネルギー量炭素量換算係数が予め記憶されているエネルギー炭素量換算係数記憶部と、
前記購入先エネルギー量記憶部またはリサイクル先エネルギー量記憶部から読み出したエネルギー量に、前記エネルギー炭素量換算係数記憶部から読み出したエネルギー量炭素量換算係数を乗じて、エネルギー量に対する炭素量であるエネルギー量炭素量を前記購入先および前記リサイクル先毎に算出して換算し、該換算したエネルギー量炭素量を前記炭素量として前記購入先および前記リサイクル先ごとに前記炭素量記憶部に記憶させるエネルギー炭素量換算部と、
を有することを特徴とする請求項１または請求項２に記載の購入先リサイクル先選択装置。
【請求項４】
前記製品が少なくとも炭素化合物を含む製品であり、
前記購入先リサイクル先選択装置が、
前記購入先で前記製品を製造する場合に原料となる炭素化合物の種類と量とが関連付けて記憶されている購入先製造物質量記憶部と、
前記リサイクル先で前記製品をリサイクルして新たな製品を製造する場合に追加される原料となる炭素化合物の種類と量とが関連付けて記憶されているリサイクル先製造物質量記憶部と、
炭素化合物の量を炭素量に換算する炭素化合物量炭素量換算係数が前記炭素化合物の種類毎に予め記憶されている炭素化合物量炭素量換算係数記憶部と、
前記購入先製造物質量記憶部またはリサイクル先製造物質量記憶部から炭素化合物の種類と量とを読み出し、該読み出した種類に該当する炭素化合物量炭素量換算係数を前記炭素化合物量炭素量換算係数記憶部から読み出し、該読み出した炭素化合物量炭素量換算係数を前記読み出した炭素化合物の量に乗じて、製品を製造する場合に原料となる炭素量である製造炭素量を前記購入先および前記リサイクル先毎に算出して換算し、該換算した製造炭素量を前記炭素量として前記購入先および前記リサイクル先ごとに前記炭素量記憶部に記憶させる製造炭素量換算部と、
を有することを特徴とする請求項１から請求項３のいずれかに記載の購入先リサイクル先選択装置。
【請求項５】
前記購入先リサイクル先選択装置が、
前記購入先で前記製品を製造する場合に廃棄される炭素化合物の種類と量とが関連付けて記憶されている購入先廃棄物質量記憶部と、
前記リサイクル先で前記製品をリサイクルまたは廃棄する場合に廃棄される炭素化合物の種類と量とが関連付けて記憶されているリサイクル先廃棄物質量記憶部と、
前記購入先廃棄物質量記憶部またはリサイクル先廃棄物質量記憶部から炭素化合物の種類と量とを読み出し、該読み出した種類に該当する炭素化合物量炭素量換算係数を前記炭素化合物量炭素量換算係数記憶部から読み出し、該読み出した炭素化合物量炭素量換算係数を前記読み出した炭素化合物の量に乗じて、製品を廃棄する場合に廃棄される炭素量である廃棄炭素量を前記購入先および前記リサイクル先毎に算出して換算し、該換算した廃棄炭素量を前記炭素量として前記購入先および前記リサイクル先ごとに前記炭素量記憶部に記憶させる廃棄炭素量換算部と、
を有することを特徴とする請求項４に記載の購入先リサイクル先選択装置。
【請求項６】
前記距離炭素量換算係数記憶部には、
運搬に用いる燃料の種類毎に前記距離炭素量換算係数が予め記憶されており、
前記購入先距離記憶部には、
前記購入先までの距離と、該購入先からの運搬に用いる燃料の種類とが関連付けて前記購入先毎に記憶されており、
前記リサイクル先距離記憶部には、
前記リサイクル先までの距離と、該リサイクル先までの運搬に用いる燃料の種類とが関連付けて前記リサイクル先毎に記憶されており、
前記距離炭素量換算部は、
前記購入先距離記憶部またはリサイクル先距離記憶部から距離と燃料の種類とを読み出し、該読み出した燃料の種類に該当する距離炭素量換算係数を前記距離炭素量換算係数記憶部から読み出し、該読み出した距離炭素量換算係数に前記読み出した距離を乗じて、前記距離炭素量を算出して換算する、
ことを特徴とする請求項２から請求項５のいずれかに記載の購入先リサイクル先選択装置。
【請求項７】
前記購入先を示す情報が記憶されている購入先記憶部と、
前記リサイクル先を示す情報が記憶されているリサイクル先記憶部と、
前記購入先記憶部から読み出した少なくとも１つの購入先と前記リサイクル先記憶部から読み出した少なくとも１つのリサイクル先とを組み合わせて前記購入リサイクル経路を生成し、該生成した購入リサイクル経路を前記購入リサイクル経路記憶部に記憶させる購入リサイクル経路生成部と、
を有することを特徴とする請求項１から請求項６のいずれかに記載の購入先リサイクル先選択装置。
【請求項８】
前記購入先リサイクル先選択装置が、
購入先とリサイクル先とを組み合わせる経路の予め定められたパターンである経路テンプレートが予め記憶されている経路テンプレート記憶部、
を有し、
前記購入リサイクル経路生成部が、
前記購入先記憶部から読み出した少なくとも１つの購入先と前記リサイクル先記憶部から読み出した少なくとも１つのリサイクル先とを、前記経路テンプレート記憶部から読み出した経路テンプレートに基づいて組み合わせて前記購入リサイクル経路を生成する、
ことを特徴とする請求項７に記載の購入先リサイクル先選択装置。
【請求項９】
製品を購入およびリサイクルする場合の購入先とリサイクル先とを選択する購入先リサイクル先選択装置において用いられる購入先リサイクル先選択方法であって、
前記製品の購入からリサイクルまでの経路であって、前記購入先および前記リサイクル先を組み合わせた購入リサイクル経路が記憶されている購入リサイクル経路記憶部から読み出した購入リサイクル経路毎に、前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部から読み出した炭素量を合算して前記製品の購入およびリサイクルで消費または生成される炭素量を算出する炭素量算出手順と、
前記炭素量算出手順で算出した炭素量と前記購入リサイクル経路とを関連付けて出力する購入リサイクル経路選択手順と、
を有することを特徴とする購入先リサイクル先選択方法。
【請求項１０】
製品を購入およびリサイクルする場合の購入先とリサイクル先とを選択する購入先リサイクル先選択装置としてのコンピュータに、
前記製品の購入からリサイクルまでの経路であって、前記購入先および前記リサイクル先を組み合わせた購入リサイクル経路が記憶されている購入リサイクル経路記憶部から読み出した購入リサイクル経路毎に、前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部から読み出した炭素量を合算して前記製品の購入およびリサイクルで消費または生成される炭素量を算出する炭素量算出手順と、
前記炭素量算出手順で算出した炭素量と前記購入リサイクル経路とを関連付けて出力する購入リサイクル経路選択手順と、
を実行させるための購入先リサイクル先選択プログラム。
【発明の詳細な説明】
【技術分野】
【０００１】
本発明は、石油製品などの炭素化合物を対象とした購入先・リサイクルルートを、資源枯渇・地球温暖化の環境負荷を考慮して選定する支援システムとしての購入先リサイクル先選択装置、購入先リサイクル先選択方法、および、購入先リサイクル先選択プログラムに関する。
【背景技術】
【０００２】
昨今、地球温暖化・資源枯渇問題が騒がれているなか、リサイクルを推進することで焼却による二酸化炭素発生量抑制・資源の有効利用をする動きがある。しかし、リサイクルできる工場は限られており、リサイクルするために遠い工場へ運搬し、遠いところから運搬してリサイクル品を購入することがある。そうなると運搬のために大量のガソリンを使用して少量の製品をリサイクルするより、近い焼却所へ運搬して製品を焼却した方が環境にはいいことがある。また、リサイクルするためにエネルギーや原料を使用するのではなく、焼却することでエネルギーを取り出した方が環境にはいいこともある。
【０００３】
ここで、廃棄時の二酸化炭素やエネルギー、購入から廃棄までのＬＣＡ（Life Cycle Assessment）評価の観点から、リサイクルを進める上で排出される環境負荷を評価するリサイクル評価システムが知られている（特許文献１および特許文献２参照）。
【特許文献１】特開２００５−２４２８４３号公報
【特許文献２】特開２００５−３０１８６７号公報
【発明の開示】
【発明が解決しようとする課題】
【０００４】
しかしながら、特許文献１または特許文献２に示すシステムにあっては、定数を用いたLCA手法や二酸化炭素にのみ注目した評価システムである。このＬＣＡ手法では、係数を用いて評価を行うため、実際のデータ、特に実際の炭素量については、異なる場合があるという問題があった。
また、特許文献１または特許文献２に示すシステムにあっては、石油製品などの炭素化合物の購入・廃棄時に消費される、実際の炭素量を評価することは出来ないという問題があった。
【０００５】
本発明は、このような事情に鑑みてなされたもので、その目的は、製品の購入から廃棄までの炭素消費量を評価して購入先およびリサイクル先を選択する購入先リサイクル先選択装置、購入先リサイクル先選択方法、および、購入先リサイクル先選択プログラムを提供することにある。
【課題を解決するための手段】
【０００６】
この発明は上述した課題を解決するためになされたもので、製品を購入およびリサイクルする場合の購入先とリサイクル先とを選択する購入先リサイクル先選択装置であって、前記製品の購入からリサイクルまでの経路であって、前記購入先および前記リサイクル先を組み合わせた購入リサイクル経路が記憶されている購入リサイクル経路記憶部と、前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部と、前記購入リサイクル経路記憶部から読み出した購入リサイクル経路毎に、前記炭素量記憶部から読み出した炭素量を合算して前記製品の購入およびリサイクルで消費または生成される炭素量を算出する炭素量算出部と、前記炭素量算出部が算出した炭素量と前記購入リサイクル経路とを関連付けて出力する購入リサイクル経路選択部と、を有することを特徴とする購入先リサイクル先選択装置である。
【０００７】
前記購入先リサイクル先選択装置が、前記購入先までの距離が前記購入先毎に記憶されている購入先距離記憶部と、前記リサイクル先までの距離が前記リサイクル先毎に記憶されているリサイクル先距離記憶部と、距離を該距離に対して消費される炭素量に換算する距離炭素量換算係数が予め記憶されている距離炭素量換算係数記憶部と、前記購入先距離記憶部またはリサイクル先距離記憶部から読み出した距離に、前記距離炭素量換算係数記憶部から読み出した距離炭素量換算係数を乗じて、距離に対して消費される炭素量である距離炭素量を前記購入先および前記リサイクル先毎に算出して換算し、該換算した距離炭素量を前記炭素量として前記購入先および前記リサイクル先ごとに前記炭素量記憶部に記憶させる距離炭素量換算部と、を有することを特徴とする購入先リサイクル先選択装置である。
【０００８】
前記購入先リサイクル先選択装置が、前記購入先で前記製品を製造する場合に消費されるエネルギー量が前記購入先毎に記憶されている購入先エネルギー量記憶部と、前記リサイクル先で前記製品をリサイクルまたは廃棄する場合に消費または生成されるエネルギー量が前記リサイクル先毎に記憶されているリサイクル先エネルギー量記憶部と、エネルギー量を炭素量に換算するエネルギー量炭素量換算係数が予め記憶されているエネルギー炭素量換算係数記憶部と、前記購入先エネルギー量記憶部またはリサイクル先エネルギー量記憶部から読み出したエネルギー量に、前記エネルギー炭素量換算係数記憶部から読み出したエネルギー量炭素量換算係数を乗じて、エネルギー量に対する炭素量であるエネルギー量炭素量を前記購入先および前記リサイクル先毎に算出して換算し、該換算したエネルギー量炭素量を前記炭素量として前記購入先および前記リサイクル先ごとに前記炭素量記憶部に記憶させるエネルギー炭素量換算部と、を有することを特徴とする購入先リサイクル先選択装置である。
【０００９】
前記製品が少なくとも炭素化合物を含む製品であり、前記購入先リサイクル先選択装置が、前記購入先で前記製品を製造する場合に原料となる炭素化合物の種類と量とが関連付けて記憶されている購入先製造物質量記憶部と、前記リサイクル先で前記製品をリサイクルして新たな製品を製造する場合に追加される原料となる炭素化合物の種類と量とが関連付けて記憶されているリサイクル先製造物質量記憶部と、炭素化合物の量を炭素量に換算する炭素化合物量炭素量換算係数が前記炭素化合物の種類毎に予め記憶されている炭素化合物量炭素量換算係数記憶部と、前記購入先製造物質量記憶部またはリサイクル先製造物質量記憶部から炭素化合物の種類と量とを読み出し、該読み出した種類に該当する炭素化合物量炭素量換算係数を前記炭素化合物量炭素量換算係数記憶部から読み出し、該読み出した炭素化合物量炭素量換算係数を前記読み出した炭素化合物の量に乗じて、製品を製造する場合に原料となる炭素量である製造炭素量を前記購入先および前記リサイクル先毎に算出して換算し、該換算した製造炭素量を前記炭素量として前記購入先および前記リサイクル先ごとに前記炭素量記憶部に記憶させる製造炭素量換算部と、を有することを特徴とする購入先リサイクル先選択装置である。
【００１０】
前記購入先リサイクル先選択装置が、前記購入先で前記製品を製造する場合に廃棄される炭素化合物の種類と量とが関連付けて記憶されている購入先廃棄物質量記憶部と、前記リサイクル先で前記製品をリサイクルまたは廃棄する場合に廃棄される炭素化合物の種類と量とが関連付けて記憶されているリサイクル先廃棄物質量記憶部と、前記購入先廃棄物質量記憶部またはリサイクル先廃棄物質量記憶部から炭素化合物の種類と量とを読み出し、該読み出した種類に該当する炭素化合物量炭素量換算係数を前記炭素化合物量炭素量換算係数記憶部から読み出し、該読み出した炭素化合物量炭素量換算係数を前記読み出した炭素化合物の量に乗じて、製品を廃棄する場合に廃棄される炭素量である廃棄炭素量を前記購入先および前記リサイクル先毎に算出して換算し、該換算した廃棄炭素量を前記炭素量として前記購入先および前記リサイクル先ごとに前記炭素量記憶部に記憶させる廃棄炭素量換算部と、を有することを特徴とする購入先リサイクル先選択装置である。
【００１１】
前記距離炭素量換算係数記憶部には、運搬に用いる燃料の種類毎に前記距離炭素量換算係数が予め記憶されており、前記購入先距離記憶部には、前記購入先までの距離と、該購入先からの運搬に用いる燃料の種類とが関連付けて前記購入先毎に記憶されており、前記リサイクル先距離記憶部には、前記リサイクル先までの距離と、該リサイクル先までの運搬に用いる燃料の種類とが関連付けて前記リサイクル先毎に記憶されており、前記距離炭素量換算部は、前記購入先距離記憶部またはリサイクル先距離記憶部から距離と燃料の種類とを読み出し、該読み出した燃料の種類に該当する距離炭素量換算係数を前記距離炭素量換算係数記憶部から読み出し、該読み出した距離炭素量換算係数に前記読み出した距離を乗じて、前記距離炭素量を算出して換算する、ことを特徴とする購入先リサイクル先選択装置である。
【００１２】
前記購入先を示す情報が記憶されている購入先記憶部と、前記リサイクル先を示す情報が記憶されているリサイクル先記憶部と、前記購入先記憶部から読み出した少なくとも１つの購入先と前記リサイクル先記憶部から読み出した少なくとも１つのリサイクル先とを組み合わせて前記購入リサイクル経路を生成し、該生成した購入リサイクル経路を前記購入リサイクル経路記憶部に記憶させる購入リサイクル経路生成部と、を有することを特徴とする購入先リサイクル先選択装置である。
【００１３】
前記購入先リサイクル先選択装置が、購入先とリサイクル先とを組み合わせる経路の予め定められたパターンである経路テンプレートが予め記憶されている経路テンプレート記憶部、を有し、前記購入リサイクル経路生成部が、前記購入先記憶部から読み出した少なくとも１つの購入先と前記リサイクル先記憶部から読み出した少なくとも１つのリサイクル先とを、前記経路テンプレート記憶部から読み出した経路テンプレートに基づいて組み合わせて前記購入リサイクル経路を生成する、ことを特徴とする購入先リサイクル先選択装置である。
【００１４】
製品を購入およびリサイクルする場合の購入先とリサイクル先とを選択する購入先リサイクル先選択装置において用いられる購入先リサイクル先選択方法であって、前記製品の購入からリサイクルまでの経路であって、前記購入先および前記リサイクル先を組み合わせた購入リサイクル経路が記憶されている購入リサイクル経路記憶部から読み出した購入リサイクル経路毎に、前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部から読み出した炭素量を合算して前記製品の購入およびリサイクルで消費または生成される炭素量を算出する炭素量算出手順と、前記炭素量算出手順で算出した炭素量と前記購入リサイクル経路とを関連付けて出力する購入リサイクル経路選択手順と、を有することを特徴とする購入先リサイクル先選択方法である。
【００１５】
製品を購入およびリサイクルする場合の購入先とリサイクル先とを選択する購入先リサイクル先選択装置としてのコンピュータに、前記製品の購入からリサイクルまでの経路であって、前記購入先および前記リサイクル先を組み合わせた購入リサイクル経路が記憶されている購入リサイクル経路記憶部から読み出した購入リサイクル経路毎に、前記購入先から前記製品を購入する場合に消費される炭素量、および、前記リサイクル先で前記製品をリサイクルする場合に消費または生成される炭素量が、前記購入先および前記リサイクル先ごとに記憶されている炭素量記憶部から読み出した炭素量を合算して前記製品の購入およびリサイクルで消費または生成される炭素量を算出する炭素量算出手順と、前記炭素量算出手順で算出した炭素量と前記購入リサイクル経路とを関連付けて出力する購入リサイクル経路選択手順と、を実行させるための購入先リサイクル先選択プログラムである。
【００１６】
この発明によれば、製品を購入およびリサイクルする場合の購入先とリサイクル先とを選択する購入先リサイクル先選択装置が、製品の購入からリサイクルまでの経路であって、購入先およびリサイクル先を組み合わせた購入リサイクル経路が記憶されている購入リサイクル経路記憶部から読み出した購入リサイクル経路毎に、購入先から製品を購入する場合に消費される炭素量、および、リサイクル先で製品をリサイクルする場合に消費または生成される炭素量が、購入先およびリサイクル先ごとに記憶されている炭素量記憶部から読み出した炭素量を合算して製品の購入およびリサイクルで消費または生成される炭素量を算出し、算出した炭素量と購入リサイクル経路とを関連付けて出力することにより、購入リサイクル経路毎の炭素量を比較することが可能となり、炭素量が最小となる購入先およびリサイクル先を選択することが可能となるため、製品の購入から廃棄までの炭素消費量を評価して購入先およびリサイクル先を選択することが可能となる効果を奏する。
【発明を実施するための最良の形態】
【００１７】
以下、図面を参照して、本発明の実施の形態について説明する。まず、図１を用いて、この発明の一実施形態による購入先リサイクル先選択装置１が対象とする製品の購入先およびリサイクル先について説明する。
【００１８】
ここでは、自工場Ｅが、次のように製品を購入先から購入して、その後、リサイクル先にリサイクルまたは焼却として出す場合を例にして説明する。まず、自工場Ｅが、購入先としての再生品工場Ａまたは新品工場Ｂから製品を購入する。自工場Ｅは、購入した製品を使用し、その後、購入した製品をリサイクル先に出す。このリサイクル先に出す場合、自工場Ｅは、購入した製品を、リサイクル先としてのリサイクル工場Ｃへ、リサイクルに出す。または、リサイクル先に出す場合、自工場Ｅは、購入した製品を、リサイクル先としての焼却所Ｄに、焼却に出す。
【００１９】
ここで、購入先とは、自工場Ｅが、製品を購入する宛先であり、本実施形態においては、自工場Ｅは、１度だけ購入先から製品を購入する。この購入先には、再生品工場Ａおよび新品工場Ｂが含まれる。再生品工場Ａとは、製品を再生品から生成している。また、新品工場Ｂは、製品を、原材料から新規に生成している。
【００２０】
また、リサイクル先とは、自工場Ｅが、製品をリサイクルまたは廃棄する宛先である。リサイクル先には、リサイクル工場Ｃおよび焼却所Ｄが含まれる。リサイクル工場Ｃは、製品を再生して、製品を生成する。この生成された製品は、再度、自工場Ｅに納入されてもよいし、他の工場などに納入されてもよい。なお、リサイクル工場Ｃは、製品を再生する場合に、新しい材料を追加して再生する場合もある。焼却所Ｄは、製品を焼却し、焼却によりエネルギーを生成する。
【００２１】
なお、図１においては、再生品工場Ａ、新品工場Ｂ、リサイクル工場Ｃ、および、焼却所Ｄを、１つずつ例示しているが、それぞれ、１つまたは複数であってもよい。
【００２２】
本実施形態による購入先リサイクル先選択装置１は、図１に示すように、自工場Ｅにとって、製品の購入先が複数あり、また、製品のリサイクル先が複数ある場合に、製品を購入する場合に、いずれの購入先から購入し、製品をリサイクルまたは廃棄する場合に、いずれのリサイクル先に出せばいいのかを、製品の購入からリサイクルまでの各経路に応じて炭素量を算出し、この算出した炭素量に基づいて、炭素量の消費が少ない経路を選択する装置である。
【００２３】
なお、ここでは、自工場Ｅとして、工場を例にして説明しているが、本実施の形態における自工場Ｅは、製品を購入およびリサイクルまたは廃棄しているのみであるため、この自工場Ｅは、消費者などであってもよい。
【００２４】
次に、図２を用いて、この発明の一実施形態による購入先リサイクル先選択装置１の構成について説明する。購入先リサイクル先選択装置１は、購入先リサイクル先選択装置１、購入リサイクル経路記憶部２、炭素量記憶部３、炭素量算出部４、購入リサイクル経路選択部５、距離炭素量換算部１０、購入先距離記憶部１１、リサイクル先距離記憶部１２、距離炭素量換算係数記憶部１３、エネルギー炭素量換算部２０、購入先エネルギー量記憶部２１、リサイクル先エネルギー量記憶部２２、エネルギー炭素量換算係数記憶部２３、製造炭素量換算部３０、購入先製造物質量記憶部３１、リサイクル先製造物質量記憶部３２、炭素化合物量炭素量換算係数記憶部３３、廃棄炭素量換算部４０、購入先廃棄物質量記憶部４１、リサイクル先廃棄物質量記憶部４２、購入リサイクル経路生成部５０、購入先記憶部５１、リサイクル先記憶部５２、および、経路テンプレート記憶部５３を有する。
【００２５】
また、この購入先リサイクル先選択装置１には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
【００２６】
次に、図３から図８を参照しつつ、図２の各構成を詳細に説明する。
【００２７】
＜距離炭素量換算部１０＞
購入先距離記憶部１１には、購入先までの距離が購入先毎に記憶されている。また、購入先距離記憶部１１には、購入先までの距離と、該購入先からの運搬に用いる燃料の種類とが関連付けて購入先毎に記憶されている。例えば、図３の「（１）炭素量距離（運搬）」の欄における、必要データの「距離（ｋｍ）」を参照。
【００２８】
リサイクル先距離記憶部１２には、リサイクル先までの距離がリサイクル先毎に記憶されている。また、リサイクル先距離記憶部１２には、リサイクル先までの距離と、該リサイクル先までの運搬に用いる燃料の種類とが関連付けてリサイクル先毎に記憶されている。例えば、図３の「（１）炭素量距離（運搬）」の欄における、必要データの「距離（ｋｍ）」を参照。
【００２９】
距離炭素量換算係数記憶部１３には、距離を該距離に対して消費される炭素量に換算する距離炭素量換算係数が予め記憶されている。また、距離炭素量換算係数記憶部１３には、運搬に用いる燃料の種類毎に距離炭素量換算係数が予め記憶されている。
【００３０】
なお、この距離炭素量換算係数は、複数の係数を乗じて算出される係数であってもよい。例えば、図３の「運搬」の欄に示すように、係数として、「燃料の種類(二酸化炭素排出係数  kg-CO2/L)」、「燃費（km/L）」、「輸送総重量（Kg）」、「モーダルシフト」がある。なお、「モーダルシフト」とは、貨物の輸送手段ごとに予め定められた係数であり、具体的には、トラック、航空機、鉄道、船舶などの輸送手段ごとに予め定められた係数である。一般的に、トラックおよび航空機の係数に比較して、鉄道および船舶の係数の方が低い値である。
【００３１】
距離炭素量換算部１０は、購入先距離記憶部１１またはリサイクル先距離記憶部１２から読み出した距離に、距離炭素量換算係数記憶部１３から読み出した距離炭素量換算係数を乗じて、距離に対して消費される炭素量である距離炭素量を購入先およびリサイクル先毎に算出して換算し、該換算した距離炭素量を炭素量として購入先およびリサイクル先ごとに炭素量記憶部３に記憶させる。
【００３２】
また、距離炭素量換算部１０は、購入先距離記憶部１１またはリサイクル先距離記憶部１２から距離と燃料の種類とを読み出し、該読み出した燃料の種類に該当する距離炭素量換算係数を距離炭素量換算係数記憶部１３から読み出し、該読み出した距離炭素量換算係数に読み出した距離を乗じて、距離炭素量を算出して換算する。
【００３３】
たとえば、距離炭素量換算部１０は、図３の「（１）距離炭素量（運搬）」の欄の「計算式」に示すように、次の（式１）により、距離炭素量を算出する。
【００３４】
距離炭素量＝二酸化炭素排出係数(kg-CO2/L)×12÷44
× 距離(km)÷燃費(km/L)÷輸送総重量(kg) ・・・ (式１)
【００３５】
なお、（式１）の「二酸化炭素排出係数(kg-CO2/L)」の項は、図４に示すように、燃料毎の予め定められた排出係数である。また、式（１）における値12および値44は、それぞれ炭素の原子量、二酸化炭素の分子量である。この炭素の原子量を二酸化炭素の分子量で除算することにより、すなわち、12を44で除算することにより、二酸化炭素に含まれる炭素の重量割合が算出される。また、式（１）において、「輸送総重量(kg)」とは、１回の輸送で運搬する製品の総重量のことで、他の製品や廃棄物と混載する場合は、混載する製品や廃棄物の重量も含む全ての重量である。この（式１）により、製品１kgあたりの距離炭素量が算出される。
【００３６】
＜エネルギー炭素量換算部２０＞
購入先エネルギー量記憶部２１には、購入先で製品を製造する場合に消費されるエネルギー量が購入先毎に記憶されている。リサイクル先エネルギー量記憶部２２には、リサイクル先で製品をリサイクルまたは廃棄する場合に消費または生成されるエネルギー量がリサイクル先毎に記憶されている。エネルギー炭素量換算係数記憶部２３は、エネルギー量を炭素量に換算するエネルギー量炭素量換算係数が予め記憶されている。
【００３７】
このエネルギー量炭素量換算係数は、複数の係数を乗じて算出される係数であってもよい。例えば、図３の「（２）エネルギー炭素量」の欄に示すように、係数として、「エネルギー使用量(L or kWh)」、「エネルギー発生量(kWh)」、「エネルギーの種類(二酸化炭素排出係数  kg-CO2/L or kWh)」がある。
【００３８】
エネルギー炭素量換算部２０は、購入先エネルギー量記憶部２１またはリサイクル先エネルギー量記憶部２２から読み出したエネルギー量に、エネルギー炭素量換算係数記憶部２３から読み出したエネルギー量炭素量換算係数を乗じて、エネルギー量に対する炭素量であるエネルギー量炭素量を購入先およびリサイクル先毎に算出して換算し、該換算したエネルギー量炭素量を炭素量として購入先およびリサイクル先ごとに炭素量記憶部３に記憶させる。
【００３９】
なお、エネルギー炭素量換算部２０は、消費されるエネルギー炭素量を消費エネルギー炭素量として算出する。また、エネルギー炭素量換算部２０は、たとえば、焼却において生成されるエネルギー炭素量を、生成エネルギー量炭素量として算出する。
【００４０】
たとえば、エネルギー炭素量換算部２０は、図３の「（２）エネルギー炭素量」の欄の「計算式」に示すように、次の（式２）により、エネルギー量炭素量を算出する。
【００４１】
エネルギー量炭素量＝エネルギー使用量or発生量(L or kWh)
×二酸化炭素排出係数(kg-CO2/L or kWh)×12÷44 ・・・ (式２)
【００４２】
この（式２）の「エネルギー使用量or発生量(L or kWh)」は、製品１kgあたりのエネルギー使用量または発生量である。また、（式２）の「二酸化炭素排出係数(kg-CO2/L)」の項は、および、「12÷44」の項は、（式１）と同様であるため、その説明を省略する。
【００４３】
＜製造炭素量換算部３０＞
購入先製造物質量記憶部３１には、購入先で製品を製造する場合に原料となる炭素化合物の種類と量とが関連付けて記憶されている。
リサイクル先製造物質量記憶部３２には、リサイクル先で製品をリサイクルして新たな製品を製造する場合に追加される原料となる炭素化合物の種類と量とが関連付けて記憶されている。
炭素化合物量炭素量換算係数記憶部３３には、炭素化合物の量を炭素量に換算する炭素化合物量炭素量換算係数が炭素化合物の種類毎に予め記憶されている。たとえば、後述する図５を参照。
【００４４】
製造炭素量換算部３０は、購入先製造物質量記憶部３１またはリサイクル先製造物質量記憶部３２から炭素化合物の種類と量とを読み出し、該読み出した種類に該当する炭素化合物量炭素量換算係数を炭素化合物量炭素量換算係数記憶部３３から読み出し、該読み出した炭素化合物量炭素量換算係数を読み出した炭素化合物の量に乗じて、製品を製造する場合に原料となる炭素量である製造炭素量を購入先およびリサイクル先毎に算出して換算し、該換算した製造炭素量を炭素量として購入先およびリサイクル先ごとに炭素量記憶部３に記憶させる。
【００４５】
製造炭素量換算部３０は、新品を購入する場合には、図３の「（３）製造炭素量（新品購入の場合）」の欄の「計算式」に示すように、次の（式３）により、製造炭素量を算出する。
【００４６】
製造炭素量＝一分子中の炭素数×12÷分子量 ・・・ （式３）
【００４７】
製品が単一の炭素化合物からなる場合は、（式３）により製造炭素量を計算する。製品が複数の炭素化合物からなる場合は、製品に含まれる炭素化合物毎に製造炭素量を算出し、さらに、重量比（添加比）で重み付けをして、製品全体の製造炭素量を算出する。また、高分子化合物については、図５に示すように、高分子化合物の名称、英名、備考（略号など）、構造式、１ｋｇあたりの炭素量、とが対応付けられる。ここで、高分子化合物においては、図５の構造式に示すような基本的な構造が重合された構造をしている。そのため、この構造式の分子量における炭素の原子量の割合が、係数として炭素化合物量炭素量換算係数記憶部３３に予め記憶されている。この係数により、製造炭素量換算部３０は、高分子化合物を１ｋｇ使用した場合、その１ｋｇあたりに対する炭素量が算出することが可能である。
【００４８】
再生品を購入する場合、製造炭素量は、リサイクル品を製造する場合の追加炭素量が該当し、図３の「（４）製造炭素量（再生品購入の場合）」の欄の「計算式」に示すように、次の式（４）により、製造炭素量を算出する。
【００４９】
製造炭素量＝一分子中の炭素数×12÷分子量×製品１ｋｇあたりの追加量 ・・・ （式４）
【００５０】
なお、リサイクル品を製造する場合において、複数の炭素化合物を追加する場合は、当該炭素化合物ごとに製造炭素量を算出し、算出した炭素化合物ごとの製造炭素量を合算する。
【００５１】
＜廃棄炭素量換算部４０＞
購入先廃棄物質量記憶部４１には、購入先で製品を製造する場合に廃棄される炭素化合物の種類と量とが関連付けて記憶されている。リサイクル先廃棄物質量記憶部４２には、リサイクル先で製品をリサイクルまたは廃棄する場合に廃棄される炭素化合物の種類と量とが関連付けて記憶されている。
【００５２】
廃棄炭素量換算部４０は、購入先廃棄物質量記憶部４１またはリサイクル先廃棄物質量記憶部４２から炭素化合物の種類と量とを読み出し、該読み出した種類に該当する炭素化合物量炭素量換算係数を炭素化合物量炭素量換算係数記憶部３３から読み出し、該読み出した炭素化合物量炭素量換算係数を読み出した炭素化合物の量に乗じて、製品を購入先で製造する場合、リサイクルする場合、又は廃棄する場合に廃棄される炭素量である廃棄炭素量を購入先およびリサイクル先毎に算出して換算し、該換算した廃棄炭素量を炭素量として購入先およびリサイクル先ごとに炭素量記憶部３に記憶させる。
【００５３】
この購入先廃棄物質量記憶部４１、リサイクル先廃棄物質量記憶部４２、廃棄炭素量換算部４０は、それぞれ、購入先製造物質量記憶部３１、リサイクル先製造物質量記憶部３２、製造炭素量換算部３０に対応する。ただし、それぞれ、製品に含まれる炭素と、製品の製造やリサイクルに際して炭素を廃棄するという点で、異なる。なお、それぞれの係数、および、算出式については、図３の「（５）廃棄炭素量」を参照。
【００５４】
たとえば、廃棄炭素量換算部４０は、図３の「（５）廃棄炭素量」の欄の「計算式」に示すように、次の（式４Ａ）により、廃棄炭素量を算出する。
【００５５】
廃棄炭素量＝一分子中の炭素数×12÷分子量×製品１ｋｇあたりの廃棄物量 ・・・ （式４Ａ）
なお、製品の製造にあたり、複数の炭素化合物が廃棄される場合は、当該炭素化合物ごとに廃棄炭素量を算出し、算出した炭素化合物ごとの廃棄炭素量を合算する。
【００５６】
購入先記憶部５１には、購入先を示す情報が記憶されている。リサイクル先記憶部５２には、リサイクル先を示す情報が記憶されている。
【００５７】
経路テンプレート記憶部５３には、購入先とリサイクル先とを組み合わせる経路の予め定められたパターンである経路テンプレートが予め記憶されている。
この経路テンプレートとは、たとえば、購入先を「いずれかの新品工場」として製品を購入し、リサイクル先を「いずれかの焼却所」とする経路を示す情報である。また、購入リサイクル経路とは、たとえば、購入先を「いずれかの新品工場」とし、リサイクル先として「いずれかのリサイクル工場」で再生し、その再生した製品を再度自工場Ｅへ納入し、その後、「いずれかの焼却所」へ搬送して焼却する経路を示す情報である。
【００５８】
なお、この「いずれかの新品工場」、「いずれかの焼却所」、「いずれかのリサイクル工場」は、たとえば、後述する購入リサイクル経路生成部５０により、購入先記憶部５１またはリサイクル先記憶部５２から読み出された新品工場、焼却所、リサイクル工場などが、設定される。
【００５９】
また、この経路テンプレートには、購入先およびリサイクル先に対しての、距離炭素量、エネルギー炭素量、製造炭素量、廃棄炭素量を指定するための情報が含まれている。
【００６０】
購入リサイクル経路生成部５０は、購入先記憶部５１から読み出した少なくとも１つの購入先とリサイクル先記憶部５２から読み出した少なくとも１つのリサイクル先とを組み合わせて購入リサイクル経路を生成し、該生成した購入リサイクル経路を購入リサイクル経路記憶部２に記憶させる。
【００６１】
また、購入リサイクル経路生成部５０は、購入先記憶部５１から読み出した少なくとも１つの購入先とリサイクル先記憶部５２から読み出した少なくとも１つのリサイクル先とを、経路テンプレート記憶部５３から読み出した経路テンプレートに基づいて組み合わせて購入リサイクル経路を生成し、該生成した購入リサイクル経路を購入リサイクル経路記憶部２に記憶させる。
【００６２】
たとえば、購入リサイクル経路生成部５０は、購入先記憶部５１またはリサイクル先記憶部５２から読み出された購入先またはリサイクル先を、経路テンプレート記憶部５３から読み出した経路テンプレートに設定して、購入リサイクル経路を生成する。
【００６３】
この購入リサイクル経路とは、たとえば、購入先を新品工場３として製品を購入し、リサイクル先を焼却所２とする経路を示す情報である。また、購入リサイクル経路とは、たとえば、購入先を新品工場３とし、リサイクル先としてリサイクル工場１で再生し、その再生した製品を再度自工場Ｅへ納入し、その後、焼却所４へ搬送して焼却する経路を示す情報である。
【００６４】
なお、購入リサイクル経路生成部５０は、購入リサイクル経路の購入先として、全ての購入先に対応する購入リサイクル経路を生成する。また、購入リサイクル経路生成部５０は、図７（ａ）に示すように、チェックボックスで選択された購入先を、購入リサイクル経路の購入先として、購入リサイクル経路を生成してもよい。なお、購入リサイクル経路生成部５０は、リサイクル先としてのリサイクル工場と焼却所とについても、それぞれに対して購入リサイクル経路を生成してもよいし、図７（ｂ）および図７（ｃ）に示すように、選択されたものにて対応して購入リサイクル経路を生成してもよい。
【００６５】
購入リサイクル経路記憶部２には、製品の購入からリサイクルまでの経路であって、購入先およびリサイクル先を組み合わせた購入リサイクル経路が記憶されている。
炭素量記憶部３には、購入先から製品を購入する場合に消費される炭素量、および、リサイクル先で製品をリサイクルする場合に消費または生成される炭素量が、購入先およびリサイクル先ごとに記憶されている。
【００６６】
炭素量算出部４は、購入リサイクル経路記憶部２から読み出した購入リサイクル経路毎に、炭素量記憶部３から読み出した炭素量を合算して製品の購入およびリサイクルで消費または生成される炭素量を算出する。なお、経路テンプレートには、購入先およびリサイクル先に対しての、距離炭素量、エネルギー炭素量、製造炭素量、廃棄炭素量を指定するための情報が含まれており、炭素量算出部４は、この情報に基づいて、対応する炭素量を合算して算出する。
【００６７】
購入リサイクル経路選択部５は、炭素量算出部４が算出した炭素量と購入リサイクル経路とを関連付けて出力する。また、購入リサイクル経路選択部５は、炭素量算出部４が算出した炭素量が最小となる購入リサイクル経路を選択し、該選択した購入リサイクル経路と炭素量とを関連付けて出力する。また、購入リサイクル経路選択部５は、同一の購入リサイクル経路について、炭素量算出部４が算出した炭素量が最小となる購入先およびリサイクル先とともに、その炭素量とを関連付けて出力する。
【００６８】
なお、上記においては、購入先距離記憶部１１、リサイクル先距離記憶部１２、距離炭素量換算係数記憶部１３、購入先エネルギー量記憶部２１、リサイクル先エネルギー量記憶部２２、エネルギー炭素量換算係数記憶部２３、購入先製造物質量記憶部３１、リサイクル先製造物質量記憶部３２、炭素化合物量炭素量換算係数記憶部３３、購入先廃棄物質量記憶部４１、リサイクル先廃棄物質量記憶部４２が、それぞれ独立した記憶部として説明した。しかし、これに限られるものではなく、これらの記憶部に記憶されている情報は、購入先およびリサイクル先のそれぞれについて、表形式にして１つの記憶部、たとえば、購入先リサイクル先情報記憶部に、記憶させることも可能である。図６に、一例としての、購入先リサイクル先情報記憶部に記憶されている表形式に記憶されている情報を示す。
【００６９】
次に、一例としての購入先リサイクル先選択装置１の演算動作について説明する。たとえば、経路テンプレート記憶部５３には、次の（１）〜（４）に示す経路テンプレートが記憶されている。なお、次から説明する各演算は、購入リサイクル経路生成部５０および炭素量算出部４が実行する。
【００７０】
（１）新品である製品を、新品工場Ｂから購入する場合に、消費する炭素量を新品工場炭素量として算出するための経路テンプレートを次の（式５）に示す。なお、この各項は、新品工場Ｂから自工場Ｅへの製品の購入および輸送に対して算出する。
【００７１】
新品工場炭素量
＝距離炭素量＋製造炭素量＋廃棄炭素量＋消費エネルギー量炭素量  ・・・（式５）
【００７２】
（２）再生品である製品を、再生品工場Ａから購入する場合に、消費する炭素量を再生品炭素量として算出するためのテンプレートを次の（式６）に示す。なお、この各項は、再生品工場Ａから自工場Ｅへの製品の購入および輸送に対して算出する。
【００７３】
再生品炭素量
＝距離炭素量＋製造炭素量＋廃棄炭素量＋消費エネルギー量炭素量  ・・・（式６）
【００７４】
（３）リサイクル工場Ｃで、製品をリサイクルする場合に、消費する炭素量をリサイクル工場炭素量として算出するためのテンプレートを次の（式７）に示す。なお、この各項は、自工場Ｅからリサイクル工場Ｃへの製品のリサイクルおよび輸送に対して算出する。
【００７５】
リサイクル工場炭素量
＝距離炭素量＋製造炭素量＋廃棄炭素量＋消費エネルギー量炭素量  ・・・（式７）
【００７６】
（４）焼却所Ｄで、炭素消費量(サーマルリサイクル含む)を焼却所炭素量として算出するためのテンプレートを次の（式８）に示す。なお、この各項は、自工場Ｅから焼却所Ｄへの製品の焼却および輸送に対して算出する。
【００７７】
焼却所炭素量
＝距離炭素量＋廃棄炭素量＋消費エネルギー量炭素量−生成エネルギー量炭素量
・・・（式８）
【００７８】
なお、（式８）において、生成エネルギー量炭素量は減算してある。これは、焼却により、炭素量が生成エネルギー量炭素量として生成されたとみなすためである。
【００７９】
ここで、製品を購入先から購入して、リサイクル先でリサイクルないし廃棄する場合の経路選択において、製品をリサイクルすることは何度でも可能であるのに対して、製品を購入することは１度だけである。そこで、経路全体における炭素量を算出する場合に、予め製品の購入先だけを選択して決定しておき、演算全体の演算量を軽減することも可能である。ここでは、購入先を先に決める場合について説明する。
【００８０】
購入先を選択するために、上記で説明した新品工場炭素量を購入先となる新品工場についてそれぞれ算出し、また、再生品炭素量を購入先となる再生品工場についてそれぞれ算出し、算出した新品工場炭素量の値と再生品炭素量の値とにおいて、最も値が小さい購入先を、選択購入先として選択する。
【００８１】
なお、上記に説明した選択購入先として選択するためのテンプレート経路を、経路テンプレート記憶部５３に記憶させることにより、炭素量算出部４が炭素量を算出し、購入リサイクル経路選択部５が炭素量算出部４が算出した炭素量と購入リサイクル経路とを関連付けて出力することが可能である。たとえば、この選択購入先として選択するためのテンプレート経路とは、購入先を「いずれかの新品工場」として自工場に搬送する経路を第１のテンプレート経路と、購入先を「いずれかの再生品工場」として自工場に搬送する経路を第２のテンプレート経路とである。
【００８２】
以降、購入先を上記で選択した選択購入先として、次の（５）〜（７）に示すテンプレートにより、リサイクルまたは廃棄の、炭素の消費量をそれぞれ算出する。
【００８３】
（５）まず、第１の購入リサイクル経路として、リサイクルかつ自工場へ納入した後、焼却する経路における消費炭素量ついて説明する。これは、選択購入先から製品を購入し、リサイクル工場Ｃへ製品をリサイクルに出し、リサイクル工場Ｃから自工場Ｄへリサイクルした製品を納入し、焼却所Ｄへ製品を出して焼却する場合の、炭素量を全て合算した後、その合計した値を２で割る。なお、合計した値を２で割るのは、製品は自工場へ２回納入されるので、１回あたりの消費炭素量を計算するためである。
【００８４】
この場合、選択購入先に対応する（式５）で算出した新品工場炭素量または（式６）で算出した再生品炭素量と、（式７）で算出したリサイクル工場炭素量とを合算する。なお、この合算において、リサイクル工場Ｃごとに算出する。または、図７に示すように、購入先、リサイクル先を選択する表示をし、チェックボックスで選択された購入先、リサイクル先、焼却所について、上記の合算を算出する。
【００８５】
（６）次に、第２の購入リサイクル経路として、リサイクルかつ他工場・一般者へ納入する経路における消費炭素量について説明する。これは、選択購入先から製品を購入し、リサイクル工場Ｃへ製品を運搬する場合の炭素量を全て合算する。なお、リサイクル工場Cでの製造炭素量・廃棄炭素量・消費エネルギー量炭素量は他工場・一般者の消費分とする。
【００８６】
（７）次に、第３の購入リサイクル経路として、焼却するする経路における消費炭素量について説明する。この経路についても、上記（５）で説明したように、炭素量算出部４が炭素量を算出する。
【００８７】
購入リサイクル経路選択部５は、たとえば、同一の購入リサイクル経路について、炭素量算出部４が算出した炭素量が最小となる購入先およびリサイクル先とともに、その炭素量を関連付けて出力する。
【００８８】
図８に、購入リサイクル経路選択部５が、購入リサイクル経路毎に、炭素量算出部４が算出した炭素量が最小となる購入リサイクル経路を選択し、該選択した購入リサイクル経路と炭素量とを関連付けて出力した表示例を示す。
【００８９】
図８では、上記で説明した「リサイクルかつ自工場へ納入する場合」と、「リサイクルかつ他工場・一般者へ納入する場合」と、「リサイクルせずに焼却する場合」とについて、それぞれ、消費炭素量が出力されている。
【００９０】
以上の出力結果により、いずれの購入先から購入した場合が、消費炭素量が少ないかを評価できるとともに、いずれのリサイクル先へ購入した商品をリサイクルまたは廃棄した場合が、消費炭素量が少ないかを評価できる。また、この購入先およびリサイクル先を組み合わせることにより、購入先リサイクル先選択装置１を使用する使用者は、いずれの経路の消費炭素量が少ないかを評価でき、炭素量が最小となる購入先およびリサイクル先、および、その経路を選択することが可能となる。
【００９１】
なお、上記においては、購入先とリサイクル先とそれぞれ算出して評価した後に、この購入先とリサイクル先とを組み合わせて購入先からサイクル先までの経路についての消費炭素量を算出して評価したが、これに限られるものではなく、先に購入先とリサイクル先とを組み合わせた購入先からサイクル先までの経路を生成し、この経路に基いて、消費炭素量を算出するようにし、算出した消費炭素量が最小となる購入先からサイクル先までの経路を出力するようにしてもよい。
【００９２】
以上のように、炭素量算出部４は、購入リサイクル経路記憶部２から読み出した購入リサイクル経路毎に、炭素量記憶部３から読み出した炭素量を合算して製品の購入およびリサイクルで消費または生成される炭素量を算出する。そして、購入リサイクル経路選択部５は、炭素量算出部４が算出した炭素量と購入リサイクル経路とを関連付けて出力する。たとえば、購入リサイクル経路選択部５は、同一の購入リサイクル経路について、炭素量算出部４が算出した炭素量が最小となる購入先およびリサイクル先とともに、その炭素量とを関連付けて出力する。
【００９３】
上記に説明した本実施形態による購入先リサイクル先選択装置１により、購入リサイクル経路毎の炭素量を比較することが可能なため、炭素量が最小となる購入先およびリサイクル先を選択することが可能となるため、製品の購入から廃棄までの炭素消費量を評価して購入先およびリサイクル先を選択することが可能となる効果を奏する。
【００９４】
また、この購入先リサイクル先選択装置１においては、炭素数に換算して比較するため、炭素に関する実際の値を用いて、購入から廃棄までのトータルで消費される炭素量を評価することで資源の有効利用・地球温暖化防止の評価が可能となる。
【００９５】
また、購入先リサイクル先選択装置１を活用することで、新品・再生品やリサイクル・焼却での炭素消費量を比較することで、新品・再生品やリサイクル・焼却で、いずれが環境への負荷がすくないかを選択することが可能である。
【００９６】
また、購入先リサイクル先選択装置１により、石油製品などの炭素化合物の購入・廃棄時に消費される炭素数または炭素の重量を評価することで、資源の消費が少なく二酸化炭素の排出量が少ないルートを評価・選定することで、環境負荷低減を図ることが可能となる。
【００９７】
なお、実施形態の説明においては、製品として石油製品などの炭素化合物の場合について説明したが、輸送などについては製品が炭素化合物であるか否かに関係しない。そのため、本実施形態による購入先リサイクル先選択装置１は、炭素化合物としての製品のみに限られるものではなく、任意の製品に適用可能である。
【００９８】
また、実施形態の説明において説明した各炭素量は、それぞれ、製品の単位重量に対して算出する。たとえば、製品１ｋｇあたりの炭素量として算出する。これにより、製品の種類に依存せず、炭素量を算出することが可能である。
【００９９】
なお、本実施形態においては、上記に説明したように、購入先からリサイクル先までの経路を比較することも可能であるし、購入先同士での比較、リサイクル先同士での比較をすることも可能である。
【０１００】
なお、図２を用いて説明した実施形態において説明した各記憶部は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【０１０１】
なお、図２を用いて説明した各構成（記憶部以外の構成）は、専用のハードウェアにより実現されるものであってもよく、また、メモリおよびマイクロプロセッサにより実現させるものであってもよい。
【０１０２】
なお、この購入先リサイクル先選択装置１は、専用のハードウェアにより実現されるものであってもよく、また、この購入先リサイクル先選択装置１はメモリおよびＣＰＵ（中央演算装置）により構成され、購入先リサイクル先選択装置１の機能を実現するためのプログラムをメモリにロードして実行することによりその機能を実現させるものであってもよい。
【０１０３】
また、図２における購入先リサイクル先選択装置１の機能を実現するためのプログラムをコンピュータ読み取り可能な記録媒体に記録して、この記録媒体に記録されたプログラムをコンピュータシステムに読み込ませ、実行することにより購入先リサイクル先選択装置１の処理を行ってもよい。なお、ここでいう「コンピュータシステム」とは、ＯＳや周辺機器等のハードウェアを含むものとする。
【０１０４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０５】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【０１０６】
【図１】この発明の一実施形態による購入先リサイクル先選択装置が対象とする購入先およびリサイクル先を示す説明図である。
【図２】この発明の一実施形態による購入先リサイクル先選択装置の構成を示すブロック図である。
【図３】一例としての炭素算出量を示す説明図である。
【図４】燃料の種類毎の係数を示す係数表である。
【図５】高分子化合物毎の係数を示す係数表である。
【図６】一例としての購入先およびリサイクル先の情報を示す表である。
【図７】一例としての購入先およびリサイクル先を選択する場合の表示例である。
【図８】一例としての選択したリサイクルルートを表示する場合の表示例である。
【符号の説明】
【０１０７】
１…購入先リサイクル先選択装置、２…購入リサイクル経路記憶部、３…炭素量記憶部、
４…炭素量算出部、５…購入リサイクル経路選択部、１０…距離炭素量換算部、１１…購入先距離記憶部、１２…リサイクル先距離記憶部、１３…距離炭素量換算係数記憶部、２０…エネルギー炭素量換算部、２１…購入先エネルギー量記憶部、２２…リサイクル先エネルギー量記憶部、２３…エネルギー炭素量換算係数記憶部、３０…製造炭素量換算部、３１…購入先製造物質量記憶部、３２…リサイクル先製造物質量記憶部、３３…炭素化合物量炭素量換算係数記憶部、４０…廃棄炭素量換算部、４１…購入先廃棄物質量記憶部、４２…リサイクル先廃棄物質量記憶部、５０…購入リサイクル経路生成部、５１…購入先記憶部、５２…リサイクル先記憶部、５３…経路テンプレート記憶部
【図１】
2009217565.tif 000003
【図２】
2009217565.tif 000004
【図３】
2009217565.tif 000005
【図４】
2009217565.tif 000006
【図５】
2009217565.tif 000007
【図６】
2009217565.tif 000008
【図７】
2009217565.tif 000009
【図８】
2009217565.tif 000010